(57)【特許請求の範囲】
【請求項１】
容器上部の首部の外周面にねじ部が形成された有底筒状の容器本体と、この容器本体の首部に冠着されるキャップと、このキャップから延設されて上記容器本体の首部の内周を通り容器本体内部の下方に延びる塗布部と、この塗布部をしごくための円筒状のゴム製しごき部材とを備える液体容器であって、上記容器本体の首部としごき部材の間に、この首部の上端面に当接する環状連結部分と、この環状連結部分の内周部から垂下し上記首部の内周面に当接する内側筒状部分と、上記環状連結部分の外周部から垂下し上記首部の外周部に嵌着される外側筒状部分とからなる合成樹脂製の筒状部材が配置され、上記首部に対して気密状に介装されているとともに、この筒状部材に上記しごき部材が気密状に嵌着されていることを特徴とする液体容器。
【請求項２】
上記容器本体の首部外周面における上記ねじ部より上側の位置に、首部円周方向の溝が形成され、上記筒状部材の外側筒状部分の下端部内周面に、首部円周方向の環状凸部が形成されて、これら円周溝と環状凸部とが互いに係合するようになっている請求項１記載の液体容器。
【請求項３】
上記しごき部材が、上記筒状部材の環状連結部分に載置される環状載置部分と、この環状載置部分の内周部から垂下し上記内側筒状部分の内周面に当接する塗布部挿通用筒状部分と、この塗布部挿通用筒状部分の内周面から突設される塗布部しごき用突出部分と、上記塗布部挿通用筒状部分の内周面から突設されて上記首部の内周面に当接する環状凸部とから構成されている請求項１または２記載の液体容器。
【請求項４】
上記塗布部の上端部にゴム製の筒状シール部材が外嵌固定され、この筒状シール部材の外周面に環状凹部もしくは環状凸部が形成され、上記しごき部材の塗布部挿通用筒状部分の内周面に、上記環状凹部もしくは環状凸部に着脱自在にかつ気密状に嵌合する環状凸部もしくは環状凹部が形成されている請求項３記載の液体容器。
【発明の詳細な説明】
【０００１】
【発明の属する技術分野】
本発明は、マスカラ，リキッドルージュ，マニキュア等の液体化粧料や文字修正液等のように揮発性の高い液体等を収容する液体容器に関するものである。
【０００２】
【従来の技術】
従来から、マスカラ等の液体化粧料や文字修正液等を収容する液体容器として特開平９−２３８７４２号公報に示す塗布具付容器が提案されている。この塗布具付容器は、図１８に示すように、口部３１ｂの外周にねじ部３１ａが形成された容器本体３１と、下部周壁の内周面に上記ねじ部３１ａとら合するねじ部３２ａが形成されたキャップ本体３２とを備えており、このキャップ本体３２に形成された仕切壁３３にブラシ軸３４を介して塗布筆３５を接続している。また、容器本体３１の口部３１ｂの上端面に、弾性変形可能な素材で形成された中栓３６を装着している。この中栓３６は、下端中央部に塗布筆３５の挿入口３７ａが穿設された下底壁３７と、容器本体３１の口部３１ｂの上端面と面積が同じに形成された環状鍔３８とを備えており、容器本体３１の口部３１ｂにキャップ本体３２を装着した際に、中栓３６の環状鍔３８の上面がキャップ本体３２の仕切壁３３の下面に密着するように形成されている。そして、塗布具付容器を振る等した場合に、容器本体３１内の液体化粧料や文字修正液等３９が容器本体３１の口部３１ｂから外部に漏れ出さないようにしている。
【０００３】
【発明が解決しようとする課題】
しかしながら、上記の塗布具付容器では、容器本体３１がガラス瓶であると、製造時の寸法精度が合成樹脂製の容器本体３１より劣るため、不良品が発生しやすい。この場合には、容器本体３１の口部３１ｂと中栓３６の環状鍔３８との間のシール性が低下して充分な気密を保つことができず、保管時等に液体化粧料や文字修正液等３９の揮発性成分の揮散が生じるという問題がある。そこで、保管時等に上記揮散が生じると、容器本体３１を交換することが行われているが、高価な容器本体３１を交換しなければならず、コストアップにつながる。一方、容器本体３１が合成樹脂製である場合にも、製造時に不良品が発生すると、高価な容器本体３１を交換しなければならず、コストアップにつながる。
【０００４】
本発明は、このような事情に鑑みなされたもので、容器本体とキャップとのシール性を向上させて保管時等に揮発性成分の揮散が生じることがなく、しかも、コストダウンを図ることができる液体容器の提供をその目的とする。
【０００５】
【課題を解決するための手段】
上記の目的を達成するため、本発明の液体容器は、容器上部の首部の外周面にねじ部が形成された有底筒状の容器本体と、この容器本体の首部に冠着されるキャップと、このキャップから延設されて上記容器本体の首部の内周を通り容器本体内部の下方に延びる塗布部と、この塗布部をしごくための円筒状のゴム製しごき部材とを備える液体容器であって、上記容器本体の首部としごき部材の間に、この首部の上端面に当接する環状連結部分と、この環状連結部分の内周部から垂下し上記首部の内周面に当接する内側筒状部分と、上記環状連結部分の外周部から垂下し上記首部の外周部に嵌着される外側筒状部分とからなる合成樹脂製の筒状部材が配置され、上記首部に対して気密状に介装されているとともに、この筒状部材に上記しごき部材が気密状に嵌着されているという構成をとる。
【０００６】
すなわち、本発明の液体容器は、液体を収容する有底筒状の容器本体と、この容器本体の首部に冠着するキャップと、上記容器本体の首部を通って容器本体の下部に延びる塗布部とを備えており、上記容器本体の首部の上端部に合成樹脂製の筒状部材を気密状に嵌着し、この筒状部材に、上記塗布部をしごくためのゴム製のしごき部材を気密状に嵌着している。このように、上記容器本体の首部としごき部材との間に、正確な寸法精度を確保しやすい合成樹脂製の筒状部材を介装しているため、上記容器本体の首部としごき部材との間のシール性を充分に確保することができる。したがって、キャップを冠着した容器本体に揮発性の高い液体が収容されていても、保管時等に揮発性成分が揮散することがない。しかも、上記筒状部材は安価であるため、交換が安価に行え、コストダウンを図ることができる。
【０００７】
また、本発明の液体容器は、上記筒状部材が、上記容器本体の首部の上面に当接する環状連結部分と、この環状連結部分の内周部から垂下し上記容器本体の首部の内周面に当接する内側筒状部分と、上記環状連結部分の外周部から垂下し上記容器本体の首部の外周部に嵌着される外側筒状部分とから構成され、上記首部に対して気密状に介装されている。そのなかでも、上記しごき部材が、上記筒状部材の環状連結部分に載置される環状載置部分と、この環状載置部分の内周部から垂下し上記内側筒状部分の内周面に当接する塗布部挿通用筒状部分と、この塗布部挿通用筒状部分の内周面から突設される塗布部しごき用突出部分とから構成され、このしごき部材が上記筒状部材に気密状に嵌着されているものは、上記筒状部材の環状連結部分としごき部材の環状載置部分との間、および上記筒状部材の内側筒状部分としごき部材の塗布部挿通用筒状部分との間にシール性を持たせることができる。
【０００８】
さらに、本発明のなかでも、上記塗布部の上端部にゴム製の筒状シール部材が外嵌固定され、この筒状シール部材の外周面に環状凹部もしくは環状凸部が形成され、上記しごき部材の塗布部挿通用筒状部分の内周面に、上記環状凹部もしくは環状凸部に着脱自在にかつ気密状に嵌合する環状凸部もしくは環状凹部が形成されているものは、上記塗布部の上端部としごき部材との間もシールされており、液体容器全体として、非常に優れたシール性を有している。
【０００９】
なお、本発明の液体容器は、上記容器本体が、製造時の寸法精度が劣るガラス瓶からなる場合でも、このガラス瓶に対して、充分なシール性を確保することができる。
【００１０】
【発明の実施の形態】
つぎに、本発明の実施の形態を図面にもとづいて詳しく説明する。
【００１１】
図１および図２は本発明の液体容器の一実施の形態を示している。これらの図において、１は透明なガラス瓶からなる有底円筒形状の容器本体であり、内部にマスカラ４（図３参照）が収容されている。２は上記容器本体１の首部１ａに着脱自在に冠着されるキャップである。上記容器本体１には、その首部１ａの外周面にねじ部５が形成されており、後述するキャップ本体２０の内周面に形成されたねじ部２０ａ（図１１参照）に着脱自在にら合する構造になっている。また、上記容器本体１の首部１ａには、図４に示すように、その上端部の外周面に１条の環状凹部６が形成されており、後述する中栓１０の環状凸部１５ａに嵌合している（図３参照）。
【００１２】
図２において、３は塗布筆である。また、１０はポリエチレン製の中栓（筒状部材）であり、図５〜図７に示すように、円環形状の連結壁部（環状連結部分）１３と、この連結壁部１３の内周部から垂下する円筒形状の内側壁部（内側筒状部分）１４と、上記連結壁部１３の外周部から垂下する円筒形状の外側壁部（外側筒状部分）１５とを一体成形したもので構成されている。そして、上記連結壁部１３の下面が上記容器本体１の首部１ａの上端面に気密状に当接しており、上記内側壁部１４の外周面が上記容器本体１の首部１ａの内周面に気密状に当接している（図３参照）。また、上記外側壁部１５には、その下端部の内周面に１条の環状凸部１５ａが突設されており、上記容器本体１の首部１ａの環状凹部６に嵌着している（図３参照）。図７において、１４ａは上記内側壁部１４の下部周壁の外周面に形成された下すぼまり状のテーパー面である。
【００１３】
図２において、１１は天然ゴム製のしごき部材であり、図８〜図１０に示すように、上記中栓６の内側壁部１４より長く形成された円筒形状の本体壁部（塗布部挿通用筒状部）１７と、この本体壁部１７の上端開口部から外側に向かって突設された円環形状の鍔部（環状載置部分）１８とを一体成形したもので構成されている。そして、この鍔部１８が上記中栓１０の連結壁部１３の上面に気密状に載置されている。また、上記鍔部１８には、その上面に１条の環状凸部１８ａが立設されており、キャップ２の冠着時に、後述する保持体２１の底壁部の下面に押圧状に当接するようにしている。
【００１４】
上記本体壁部１７は、その上部周壁（ここでは、上記中栓１０の内側壁部１４に対応する上記本体壁部１７の部分を指す）の外周面が上記中栓１０の内側壁部１４の内周面に気密状に当接しており、その下部周壁（ここでは、上記上部周壁の下側部分を指す）の外周面に、上記容器本体１の首部１ａの内周面に気密状に当接する１条の環状凸部１７ａが突設されている。
【００１５】
また、上記本体壁部１７には、その中間部の内周面から、下方に向かって内向き傾斜状に延びる筒状しごき部（塗布部しごき用突出部分）１９が突設されている。より詳しく説明すると、この筒状しごき部１９は、下側にいくほど縮径する円錐台形状であり、その上端開口部が上記本体壁部１７の中間部の内周面に一体的に連結され、その下端開口部で、上記塗布筆３と後述する軸部２３とをしごくようにしている。また、上記本体壁部１７の内周面には、上記筒状しごき部１９のすぐ上側の部分に、後述する筒状シール部材２５の環状凸部２５ａに気密状に嵌合する１条の環状凹部１７ｂが形成されている。
【００１６】
上記キャップ２は、図１１に示すように、上記容器本体１の首部１ａに冠着される有天円筒形状のキャップ本体２０と、上記塗布筆３を保持する保持体２１とからなり、上記キャップ本体２０の下部周壁の内周面に、上記容器本体１の首部１ａのねじ部５に着脱自在にら合するねじ部２０ａが形成されている。
【００１７】
上記保持体２１は、図１２および図１３に示すように、上記キャップ本体２０の上部周壁の内周面に内嵌状に固定される有底円筒形状の取付部２２と、この取付部２２の底壁部の中央下面から垂下する丸棒状の軸部２３と、この軸部２３から垂下する塗布筆３（図１２および図１３では、図示せず。図１１参照）とからなり、軸部２３と塗布筆３とで塗布部が構成されている。上記軸部２３には、その上端部の外周面に環状凹部２３ａが形成されており、この環状凹部２３ａに天然ゴム製の筒状シール部材２５が外嵌固定されている。この筒状シール部材２５は、図１４〜図１６に示すように、円筒形状に形成されており、その下部の外周面に、上記しごき部材１１の本体壁部１７の環状凹部１７ｂに着脱自在にかつ気密状に嵌合する１条の環状凸部２５ａが形成されている。図において、２２ａは上記取付部２２の外周面に等間隔をあけて突設された６本の縦向き突条（図１２では、２本の縦向き突条２２ａは、隠れて見えない）である。
【００１８】
上記構成において、保管時等には、上記容器本体１の首部１ａのねじ部５にキャップ２のキャップ本体２０のねじ部２０ａをら合させることが行われる。この状態では、図１７に示すように、上記しごき部材１１の鍔部１８の環状凸部１８ａがキャップ２の取付部２２の底壁部の下面に押圧状に当接し、これにより、上記キャップ２の取付部２２としごき部材１１との間がシールされている。また、上記筒状シール部材２５の環状凸部２５ａがしごき部材１１の本体壁部１７の環状凹部１７ｂに気密状に嵌合し、これにより、上記筒状シール部材２５としごき部材１１の本体壁部１７との間がシールされている。また、上記しごき部材１１が中栓１０に気密状に嵌着されているとともに、この中栓１０が上記容器本体１の首部１ａに気密状に嵌着されている。このため、保管時等に、容器本体１に揮発性の高いマスカラ４が収容されていても、上記容器本体１の首部１ａとキャップ２との間から揮発性成分が揮散することない。一方、使用時には、上記ねじ部５，２０ａのら合を解除してキャップ２を容器本体１の首部１ａから取り外し、塗布筆３にマスカラ４を適量移し取り化粧することが行われる。そして、上記キャップ２を取り外す際に、軸部２３と塗布筆３とが上記しごき部材１１の筒状しごき部１９でしごかれるようになっている。
【００１９】
このように、上記液体容器は、上記容器本体１の首部１ａに、正確な寸法精度を確保しやすい中栓１０を介して、しごき部材１１を取り付けているため、上記容器本体１の首部１ａとしごき部材１１との間のシール性を充分に確保することができる。したがって、容器本体１に揮発性の高いマスカラ４が収容されていても、保管時等に、揮発性成分が揮散することない。また、上記中栓１０は安価であるため、交換が安価に行え、コストダウンを図ることができる。
【００２０】
なお、上記実施の形態では、容器本体１内にマスカラ４を収容しているが、これに限定するものではなく、上記容器本体１内に文字修正液等を収容するようにしてもよい。
【００２１】
【発明の効果】
以上のように、本発明の液体容器によれば、液体を収容する有底筒状の容器本体と、この容器本体の首部に冠着するキャップと、上記容器本体の首部を通って容器本体の下部に延びる塗布部とを備えており、上記容器本体の首部の上端部に合成樹脂製の筒状部材を気密状に嵌着し、この筒状部材に、上記塗布部をしごくためのゴム製のしごき部材を気密状に嵌着している。このように、上記容器本体の首部としごき部材との間に、正確な寸法精度を確保しやすい合成樹脂製の筒状部材を介装しているため、上記容器本体の首部としごき部材との間のシール性を充分に確保することができる。したがって、キャップを冠着した容器本体に揮発性の高い液体が収容されていても、保管時等に揮発性成分が揮散することがない。しかも、上記筒状部材は安価であるため、交換が安価に行え、コストダウンを図ることができる。
【００２２】
また、本発明の液体容器は、上記筒状部材が、上記容器本体の首部の上面に当接する環状連結部分と、この環状連結部分の内周部から垂下し上記容器本体の首部の内周面に当接する内側筒状部分と、上記環状連結部分の外周部から垂下し上記容器本体の首部の外周部に嵌着される外側筒状部分とから構成され、上記首部に対して気密状に介装されている。そのなかでも、上記しごき部材が、上記筒状部材の環状連結部分に載置される環状載置部分と、この環状載置部分の内周部から垂下し上記内側筒状部分の内周面に当接する塗布部挿通用筒状部分と、この塗布部挿通用筒状部分の内周面から突設される塗布部しごき用突出部分とから構成され、このしごき部材が上記筒状部材に気密状に嵌着されているものは、上記筒状部材の環状連結部分としごき部材の環状載置部分との間、および上記筒状部材の内側筒状部分としごき部材の塗布部挿通用筒状部分との間にシール性を持たせることができる。
【００２３】
さらに、本発明において、上記塗布部の上端部にゴム製の筒状シール部材が外嵌固定され、この筒状シール部材の外周面に環状凹部もしくは環状凸部が形成され、上記しごき部材の塗布部挿通用筒状部分の内周面に、上記環状凹部もしくは環状凸部に着脱自在にかつ気密状に嵌合する環状凸部もしくは環状凹部が形成されているものは、上記塗布部の上端部としごき部材との間もシールされており、液体容器全体として、非常に優れたシール性を有している。
【００２４】
なお、本発明は、製造時の寸法精度が劣るガラス瓶に対しても、充分なシール性を確保することができる。
【図面の簡単な説明】
【図１】本発明の液体容器の一実施の形態を示す斜視図である。
【図２】容器本体からキャップを取り外した状態を示す説明図である。
【図３】上記容器本体に中栓としごき部材とを取り付けた状態を示す断面図である。
【図４】上記容器本体の正面図である。
【図５】中栓の正面図である。
【図６】上記中栓の平面図である。
【図７】上記中栓の断面図である。
【図８】しごき部材の正面図である。
【図９】上記しごき部材の平面図である。
【図１０】上記しごき部材の断面図である。
【図１１】上記キャップの断面図である。
【図１２】保持体の正面図である。
【図１３】上記保持体の断面図である。
【図１４】筒状シール部材の正面図である。
【図１５】上記筒状シール部材の平面図である。
【図１６】上記筒状シール部材の断面図である。
【図１７】容器本体にキャップを取り付けた状態を示す要部断面図である。
【図１８】従来例を示す断面図である。
【符号の説明】
１  容器本体
１ａ  首部
２  キャップ
１０  中栓
１１  しごき部材
２３  軸部
【図１】
0004473405.tif 000002
【図２】
0004473405.tif 000003
【図３】
0004473405.tif 000004
【図４】
0004473405.tif 000005
【図５】
0004473405.tif 000006
【図６】
0004473405.tif 000007
【図７】
0004473405.tif 000008
【図８】
0004473405.tif 000009
【図９】
0004473405.tif 000010
【図１０】
0004473405.tif 000011
【図１１】
0004473405.tif 000012
【図１２】
0004473405.tif 000013
【図１３】
0004473405.tif 000014
【図１４】
0004473405.tif 000015
【図１５】
0004473405.tif 000016
【図１６】
0004473405.tif 000017
【図１７】
0004473405.tif 000018
【図１８】
0004473405.tif 000019